(57)【要約】【課題】発表者に対し、各聴講者が発表の速度について来ているかどうかを把握するための情報を通知することができる会議システムを提供すること。【解決手段】１又は複数の第１情報端末と、第２情報端末と、前記第２情報端末と一体又は別体として構成される情報処理装置とを有する会議システムは、前記情報処理装置が、前記第１情報端末において使用されているコンテンツデータの現在の表示位置である第１表示位置を受信する受信手段を備え、前記第２情報端末が、当該コンテンツデータを表示するとともに、前記第１表示位置を表示する表示手段を備えることで上記課題を解決する。【選択図】図５
2016177614.tif 000002
【特許請求の範囲】
【請求項１】
１又は複数の第１情報端末と、第２情報端末と、前記第２情報端末と一体又は別体として構成される情報処理装置とを有する会議システムであって、
前記情報処理装置は、
前記第１情報端末において使用されているコンテンツデータの現在の表示位置である第１表示位置を受信する受信手段を備え、
前記第２情報端末は、
当該コンテンツデータを表示するとともに、前記第１表示位置を表示する表示手段を備える会議システム。
【請求項２】
前記情報処理装置は、
前記第１表示位置と、前記第２情報端末において使用されている当該コンテンツデータの現在の表示位置である第２表示位置とに基づいて、警告情報を通知するか否かを判断する判断手段を備え、
前記第２情報端末の前記表示手段は、
通知された前記警告情報を表示する、
請求項１記載の会議システム。
【請求項３】
前記判断手段は、
前記第２表示位置から所定値以上離れている前記第１表示位置である前記第１情報端末の数が所定の閾値を超えたか否かに基づいて、前記判断を行う、
請求項２記載の会議システム。
【請求項４】
前記判断手段は、
前記第２表示位置から所定値以上離れている前記第１表示位置である前記第１情報端末の数が、全ての前記第１情報端末の数に対して、所定の割合を超えたか否かに基づいて、前記判断を行う、
請求項２記載の会議システム。
【請求項５】
前記判断手段は、
前記第２表示位置が更新された後、所定時間経過しても前記第１表示位置を変更しない前記前記第１情報端末については、前記第１情報端末の数にカウントしない、
請求項３又は４記載の会議システム。
【請求項６】
前記判断手段は、
前記第２表示位置が有する文字数に応じた時間長が経過した後、前記判断を行う、
請求項２乃至５のいずれか１項に記載の会議システム。
【請求項７】
前記判断手段は、
前記第１情報端末のユーザの属性に基づいて、前記判断を行う、
請求項２乃至６のいずれか１項に記載の会議システム。
【請求項８】
前記第１情報端末は、
前記第１情報端末のユーザが当該コンテンツデータを表示している領域において目視している位置の情報である視線情報を検出する検出手段を有し、
前記第２情報端末の前記表示手段は、
前記視線情報を表示する、
請求項１乃至７のいずれか１項に記載の会議システム。
【請求項９】
前記第２情報端末の前記表示手段は、
前記第１表示位置と、前記第２情報端末において使用されている当該コンテンツデータの現在の表示位置である第２表示位置とが一致する場合に、前記第２情報端末にて表示している当該コンテンツデータにおける前記視線情報に対応する位置に、前記第１情報端末を識別する情報を重ねて表示する、
請求項８項記載の会議システム。
【請求項１０】
前記第２情報端末の前記表示手段は、
前記第２情報端末にて表示している当該コンテンツデータにおける前記視線情報に対応する位置に、当該位置と前記視線情報が一致する前記第１情報端末の数に応じた表示を行う、
請求項８記載の会議システム。
【請求項１１】
前記情報処理装置は、
前記第２情報端末と別体として構成され、
当該コンテンツデータに基づく画像に、前記第１表示位置に応じた画像を合成して、前記第２情報端末にストリーミング配信する配信手段を備える、
請求項１乃至１０のいずれか１項に記載の会議システム。
【請求項１２】
１又は複数の第１情報端末と、第２情報端末と、前記第２情報端末と一体又は別体として構成される情報処理装置とを有する会議システムであって、
前記情報処理装置は、
前記第１情報端末において使用されているコンテンツデータの現在の表示位置である第１表示位置と、前記第２情報端末において使用されている当該コンテンツデータの現在の表示位置である第２表示位置とに基づいて、警告情報を前記第２情報端末に通知するか否かを判断する判断手段を備え、
前記第２情報端末は、
通知された前記警告情報を表示する表示手段を備える会議システム。
【請求項１３】
第１情報端末において使用されているコンテンツデータの現在の表示位置である第１表示位置を受信する受信手段と、
前記第１表示位置を第２情報端末に通知する通知手段と、
を備える情報処理装置。
【請求項１４】
コンテンツデータを表示するとともに、情報処理装置から受信した、他の情報端末において使用されている当該コンテンツデータの現在の表示位置を表示する表示手段と、
を備える情報端末。
【請求項１５】
コンピュータを、請求項１３記載の情報処理装置の各手段として機能させるためのプログラム。
【請求項１６】
コンピュータを、請求項１４記載の情報端末の各手段として機能させるためのプログラム。
【発明の詳細な説明】
【技術分野】
【０００１】
本発明は、会議システム、情報処理装置、情報端末、及びプログラムに関する。
【背景技術】
【０００２】
近年、タブレット、スマートフォン、ノートパソコン等の情報端末が普及してきており、講演や授業等の会議（プレゼンテーション）でもそれらを活用するシステムへのニーズが想定される。例えば会議の発表者が、プロジェクタや電子黒板等を用いて発表データを表示し、会議の聴講者が、各人が手元で所持する情報端末で、発表データを手元で確認できるシステムへのニーズが想定される。
【０００３】
特許文献１には、会議端末装置が、表示ページ位置の変更操作を行われると、変更された表示ページ位置を他の会議端末装置に送信し、他の会議端末装置は、同期状態に設定されていれば、受信した表示ページ位置に画面上の表示を変更し、非同期状態に設定されていれば、表示ページ位置の変更を行わない電子会議システムが開示されている。
【発明の概要】
【発明が解決しようとする課題】
【０００４】
しかし、特許文献１記載の技術では、他の会議端末装置が非同期状態に設定されている場合、他の会議端末装置のユーザは、表示ページ位置を手動で変更することができるため、発表者が、各聴講者が自身の発表の速度について来ているかどうかを把握することができない。そのため、発表者が、発表中に発表速度を調節することができないという問題があった。
【０００５】
そこで、発表者に対し、各聴講者が発表の速度について来ているかどうかを把握するための情報を通知することができる会議システムを提供することを目的とする。
【課題を解決するための手段】
【０００６】
１又は複数の第１情報端末と、第２情報端末と、前記第２情報端末と一体又は別体として構成される情報処理装置とを有する会議システムを提供する。
【０００７】
この会議システムにおいて、前記情報処理装置は、前記第１情報端末において使用されているコンテンツデータの現在の表示位置である第１表示位置を受信する受信手段を備え、前記第２情報端末は、当該コンテンツデータを表示するとともに、前記第１表示位置を表示する表示手段を備える。
【発明の効果】
【０００８】
開示の技術によれば、発表者に対し、各聴講者が発表の速度について来ているかどうかを把握するための情報を通知することができる会議システムを提供することが可能となる。
【図面の簡単な説明】
【０００９】
【図１】第１の実施形態に係る会議システムの構成図である。
【図２】第１の実施形態における操作情報管理テーブルの一例を示す図である。
【図３】第１の実施形態における操作履歴管理テーブルの一例を示す図である。
【図４】聴講者データ管理テーブルの一例を示す図である。
【図５】第１の実施形態に係る会議システムのシーケンス図である。
【図６】第１の実施形態における、発表者端末２での表示画面の例である。
【図７】発表者に対して警告表示を行う画面の例である。
【図８】第２の実施形態に係る会議システムの構成図である。
【図９】第２の実施形態における操作情報管理テーブルの一例を示す図である。
【図１０】第２の実施形態における操作履歴管理テーブルの一例を示す図である。
【図１１】第２の実施形態における、発表者端末での表示画面の例（その１）である。
【図１２】第２の実施形態における、発表者端末での表示画面の例（その２）である。
【図１３】発表者端末、聴講者端末のハードウェア構成図である。
【図１４】サーバ装置のハードウェア構成図である。
【発明を実施するための形態】
【００１０】
＜第１の実施形態＞
図１は、第１の実施形態に係る会議システム１の構成図である。会議システム１では、発表者が使用する発表者端末２、聴講者が使用する聴講者端末３、サーバ装置４、表示装置５とが、ネットワーク６で接続されている。
【００１１】
発表者端末２は、所定のプログラムがインストールされた、タブレット、スマートフォン、ノートパソコン等の情報端末であり、表示部２１、操作部２２、操作情報通知部２３、理解度受信部２４、発表データ格納部２５、端末情報記憶部２６、表示画像出力部２７を有する。
【００１２】
発表データ格納部２５は、ドキュメントファイルなどである発表データを格納する。発表データは、予めサーバ装置４等からダウンロードしておいてもよいし、ユーザからの進む、戻る等の表示位置を切り替える操作に応じてサーバ装置４等からページやＵＲＬ毎に取得するようにしてもよい。
【００１３】
端末情報記憶部２６は、予め設定された、端末または端末のユーザを識別する端末ＩＤを記憶する。
【００１４】
表示部２１は、発表データ格納部２５に格納されている発表データや、理解度受信部２４で受信した情報などの画面を表示する。発表データに基づく画像に、理解度データに基づく画像を合成して表示してもよい。
【００１５】
操作部２２は、ユーザからの、発表データの表示ページを進む、戻る等の表示位置を切り替える操作等の入力を受け付ける。
【００１６】
操作情報通知部２３は、操作部２２による、表示部２１にて表示されている発表データの表示位置を切り替える操作に応じて、サーバ装置４に対し、端末情報記憶部２６に格納されている端末ＩＤと、表示部２１に表示する発表データの表示位置とを送信する。
【００１７】
理解度受信部２４は、サーバ装置４から理解度のデータを受信し、表示部２１に表示させる。
【００１８】
表示画像出力部２７は、表示装置５に、表示部２１にて表示されている発表データの画像を出力する。
【００１９】
聴講者端末３は、発表者端末２と同様の情報端末であり、発表者端末２と同様の表示部３１、操作部３２、操作情報通知部３３、発表データ格納部３４、端末情報記憶部３５を有する。
【００２０】
操作部３２は、ユーザからの、発表データの表示ページを進む、戻る等の表示位置を切り替える操作等の入力を受け付ける。また、表示部３１に表示する発表データの表示位置を、発表者端末２の表示部２１に表示されているものと同じにさせるか否かを指定する同期モードを指定するための操作も受け付ける。
【００２１】
操作情報通知部３３は、発表者端末２の操作情報通知部２３と同様に端末ＩＤと表示位置とを送信するのみならず、同期モードを指定するためのデータも、端末情報記憶部３５に格納されている端末ＩＤと共にサーバ装置４に通知する。なお、同期モードが「同期」、すなわち表示部３１に表示する発表データの表示位置を、発表者端末２の表示部２１に表示されているものと同じにさせるように操作部３２の入力により指定された場合、端末ＩＤと表示位置のサーバ装置４に対する送信は行わないようにしてもよい。
【００２２】
サーバ装置４は、所定のプログラムがインストールされた、パーソナルコンピュータ等の情報処理装置であり、操作情報受信部４１、理解度判断部４２、理解度通知部４３、操作情報管理部４４、発表データ配信部４５、操作履歴管理部４６、聴講者データ管理部４７を有する。なお、サーバ装置４用のプログラムを発表者端末２にインストールすること等により、サーバ装置４と発表者端末２とを一体の装置として構成してもよい。
【００２３】
操作情報受信部４１は、発表者端末２の操作情報通知部２３および聴講者端末３の操作情報通知部３３から、端末ＩＤと、表示する発表データの表示位置とを受信する。また、聴講者端末３の操作情報通知部３３から、同期モードを指定するためのデータも受信する。
【００２４】
図２は、第１の実施形態における操作情報管理部４４が管理する、操作情報管理テーブルの一例を示す図である。操作情報管理テーブルには、端末ＩＤに対応付けて、ユーザＩＤと、発表者か聴講者かを区別するためのユーザ種別とが予め登録されている。また、当該端末ＩＤに対応付けて、同期モードと、表示する発表データの表示位置とを管理する。図２の例では、表示位置として、発表データにおけるページ番号を用いている。
【００２５】
操作情報管理部４４は、操作情報受信部４１にて端末ＩＤと表示する発表データの表示位置とを受信すると、当該端末ＩＤに対応付けて、表示位置を記録する。また、操作情報受信部４１にて端末ＩＤと同期モードを指定するためのデータを受信すると、当該端末ＩＤに対応付けて、指定された同期モードを記録する。
【００２６】
理解度判断部４２は、予め設定されている発表データの全表示位置の数と、図２の操作情報管理テーブルに格納されている各聴講者端末３において表示されている表示位置と、発表者端末２において表示されている表示位置の情報を基に、発表データの全表示位置の数に対する、各聴講者端末３の表示位置と、発表者端末２の表示位置とを含む理解度データを算出する。
【００２７】
理解度通知部４３は、理解度判断部４２にて算出した理解度データを、発表者端末２に通知する。
【００２８】
発表データ配信部４５は、発表者端末２および聴講者端末３に、発表データを配信する。
【００２９】
表示装置５は、プロジェクタや電子黒板であり、発表者端末２からネットワーク６を介して受信した表示情報を表示する。
【００３０】
図３は、第１の実施形態における操作履歴管理部４６が管理する、操作履歴管理テーブルの一例を示す図である。操作履歴管理テーブルには、端末ＩＤに対応付けて、表示した発表データの表示位置と、受信日時とを管理する。
【００３１】
操作履歴管理部４６は、操作情報受信部４１にて受信した端末ＩＤと表示する発表データの表示位置とを受信すると、当該端末ＩＤに対応付けて、表示位置と、操作情報受信部４１にて受信した日時である受信日時とを記録する。
【００３２】
図４は、聴講者データ管理部４７が管理する、聴講者データ管理テーブルの一例を示す図である。聴講者データ管理テーブルには、ユーザＩＤに対応付けて、成績や役職などのユーザ属性と、ユーザ属性に応じた重みとを管理する。
【００３３】
なお、ユーザＩＤ毎のユーザ属性の情報は、他のデータベースサーバ等から取得するようにしてもよい。
【００３４】
ネットワーク６は、有線ＬＡＮ、無線ＬＡＮ、インターネット、携帯電話網等の伝送網である。
【００３５】
図５は、第１の実施形態に係る会議システムのシーケンス図である。
【００３６】
聴講者Ａが、聴講者端末３Ａの操作部３２を操作し、表示する発表データの表示位置を切り替えると、表示部３１にて発表データの当該表示位置を表示するとともに（ステップＳ１）、操作情報通知部３３が端末情報記憶部３５に格納されている端末ＩＤと、表示する表示位置の情報とを、サーバ装置４に送信する（ステップＳ２）。
【００３７】
サーバ装置４の操作情報受信部４１が、端末ＩＤと、表示する表示位置とを操作情報管理部４４に格納する（ステップＳ３）。
【００３８】
発表者が、発表者端末２の操作部２２を操作し、表示する発表データの表示位置を切り替えると、発表者端末２の表示部２１が当該表示位置を表示し（ステップＳ４）、表示画像出力部２７が表示装置５に当該表示位置の画像を出力して表示させるとともに、操作情報通知部２３が端末情報記憶部３５に格納されている端末ＩＤと、表示する表示位置の情報とを、サーバ装置４に送信する（ステップＳ５）。
【００３９】
サーバ装置４の操作情報受信部４１が、端末ＩＤと、表示位置とを操作情報管理部４４に格納するとともに（ステップＳ６）、操作情報管理部４４が管理する、図２の操作情報管理テーブルの中から、同期モードが「同期」と設定されているすべての聴講者端末３Ｂに、発表者端末２から受信した表示位置を通知する（ステップＳ７）。聴講者端末３Ｂは、受信した表示位置の発表データを表示部３１に表示する（ステップＳ８）。
【００４０】
そして、発表者端末２または聴講者端末３から操作情報を受信した際、または定期的に、サーバ装置４の理解度判断部４２が、理解度データを算出し（ステップＳ９）、理解度通知部４３が、発表者端末２に、理解度データを通知する（ステップＳ１０）。発表者端末２の理解度受信部２４が、受信した理解度データを表示部２１に表示させる（ステップＳ１１）。
【００４１】
図６は、発表者端末２における、発表データと理解度データとを表示する画面の例である。発表者端末２の表示部２１には、発表データが所定の領域６０１に表示される。また、発表データの全表示位置の数に対する、各聴講者端末３の表示位置が、聴講者端末３毎のインジケータ６０２で表示される。また、発表データの全表示位置の数に対する、発表者端末２の表示位置が、所定のインジケータ６０３で表示される。
【００４２】
図６の例では、聴講者Ａは発表者と同じ表示位置であることを示している。また、聴講者Ｂは発表者が現在表示している表示位置よりも前の表示位置、すなわち既に発表が終わった表示位置を閲覧していることを示しており、発表者の発表スピードについてきておらず、自らの理解度を高めるために前の表示位置を閲覧していることが推測できる。聴講者Ｃは発表者が現在表示している表示位置よりも後の表示位置、すなわちこれから発表する表示位置を先に閲覧していることを示しており、発表者が発表している内容を既に理解して、先の表示位置を閲覧していることが推測できる。
【００４３】
このように聴講者がどの表示位置を閲覧しているかをリアルタイムで表示することで、発表者が、聴講者の理解度を瞬時に把握することが可能となる。
【００４４】
なお、聴講者Ａなど、発表者と同期している聴講者については、インジケータの表示を行わなくてもよい。また、理解度データは、聴講者端末３にも表示するようにしてもよいし、表示装置５にも表示するようにしてもよい。
【００４５】
図７は、多くの聴講者が前の表示位置に戻っている場合等に、発表者に対して警告表示を行う画面の例である。
【００４６】
サーバ装置４の理解度判断部４２は、発表者が現在表示している表示位置よりも所定の閾値以上前または後の表示位置を閲覧している聴講者の数が、所定の閾値を超えた場合に、それぞれ「もっとゆっくり」または「もっと速く」等、その旨の警告を発表者端末２に表示させる。それにより、発表者は、多くの聴講者が発表について来ていないことを発表中に知ることができるため、発表のスピードを調整することができる。
【００４７】
なお、発表者が現在表示している表示位置よりも所定の閾値以上前または後の表示位置を閲覧している聴講者の数が、全ての聴講者の数、あるいは同期モードが「非同期」と設定されている聴講者の数に対して、所定の割合を超えた場合に、上述の警告を行うようにしてもよい。
【００４８】
また、サーバ装置４の理解度判断部４２は、各表示位置の文字数に基づいて、各表示位置を読み終わるまでにかかる時間を推定しておき、発表者が次の表示位置に切り替える操作をした際に、発表者が元の表示位置を表示させてから当該推定した時間が経過するまでの間は、警告を表示させないようにしてもよい。なお、発表データは図表や画像である場合も多いため、各表示位置について文字認識処理をした後、各表示位置の文字数をカウントするようにしてもよい。それにより、発表データ中に文字数が多い表示位置があり、発表者がすぐに次の表示位置に切り替える操作をしたが、聴講者が当該文字数が多い表示位置を読むために時間がかかっているため、次の表示位置に切り替える操作が遅れている場合に、警告を表示させないようにすることができる。
【００４９】
また、サーバ装置４が、前回の発表時に、表示データ中の表示位置と、当該表示位置の表示データを表示している間に表示させた警告とを対応付けて記憶しておき、次回の発表時に、発表者端末２で当該表示位置の表示データを表示した際に、当該表示位置に対応付けて記憶している警告を表示させるようにしてもよい。それにより、例えば、多くの聴講者が先読みして飛ばした表示位置を「巻きどころ」として発表者に提示する等ができる。
【００５０】
また、理解度判断部４２は、図４の聴講者データ管理テーブルの聴講者毎の重みを加味して理解度データを算出してもよい。
【００５１】
例えば、図４（Ａ）のように、成績が上位の聴講者に対する重みを０として理解度データを算出することにより、当該聴講者に対するインジケータの表示を行わないようにするとともに、上述した警告を行うための演算の対象外としてもよい。
【００５２】
また、成績が中位の聴講者に対する重みを１、成績が下位の聴講者に対する重みを２等と設定して理解度データを算出することにより、成績が下位の聴講者に対するインジケータの表示の数または大きさを、成績が中位の聴講者に対するインジケータの表示の数または大きさの２倍としてもよい。また、上述の警告について、発表者が現在表示している表示位置よりも所定の閾値以上前または後の表示位置を閲覧している聴講者の数に、聴講者毎の重みを乗算することにより、成績が下位の聴講者に対する数を、成績が中位の聴講者に対する数の２倍に換算して、上述の警告を行うか判断するようにしてもよい。それにより、成績が下位の聴講者を重視した警告を行うことができる。
【００５３】
また、サーバ装置４が、表示位置毎の各聴講者の成績等と、表示位置毎の各聴講者の閲覧時間とを比較した一覧を生成し、発表者端末２、聴講者端末３に配信するようにしてもよい。それにより、聴講者が理解したうえで表示位置を先読みしたのか、十分には理解せずに先に進んだのかを区別することができ、発表のどの部分が理解不足だったかを発表者、聴講者が把握することができる。
【００５４】
また、会社での会議の場合は、例えば、図４（Ｂ）のように、理解度判断部４２は、聴講者毎の役職に基づいて重みを設定し、聴講者毎の重みに基づいて理解度データを算出してもよい。例えば、その会議の決裁者である部長以外の聴講者に対する重みを０と設定し、当該聴講者に対するインジケータの表示を行わないようにするとともに、上述した警告を行うための演算の対象外としてもよい。それにより、発表者は、決裁者である部長の閲覧スピードに合わせて発表を行うことができる。
【００５５】
なお、理解度判断部４２は、操作情報受信部４１にて、発表者端末２の操作情報通知部２３から、端末ＩＤと表示位置とを受信した後、予め設定された所定時間以内に端末ＩＤと表示位置とを送信しなかった聴講者端末３を図３の操作履歴管理テーブルから抽出し、当該聴講者端末３の聴講者に対するインジケータの表示を行わないようにするとともに、上述した警告を行うための演算の対象外とする、すなわち、発表者が現在表示している表示位置よりも所定の閾値以上前または後の表示位置を閲覧している聴講者の数としてカウントしないようにしてもよい。それにより、手元の聴講者端末３を操作せず、表示装置５を見ている聴講者を、理解度データの算出対象から除外することができる。
【００５６】
＜第２の実施形態＞
第２の実施形態では、第１の実施形態に加え、聴講者端末３にて、聴講者が発表データのどの部分を見ているかを検知し、検知した情報を発表者端末２に表示することにより、発表者は、聴講者がどの情報に興味または疑問を持っているのかを推測することができる。
【００５７】
図８は、第２の実施形態に係る会議システムの構成図である。第２の実施形態では、第１の実施形態と比較し、聴講者端末３が視線検出部３６をさらに備える。
【００５８】
視線検出部３６は、例えば、カメラで撮像した聴講者の視線に基づいて、聴講者が発表データにおいて目視している位置の情報である視線情報を検出する。なお、視線を検出する技術は周知であるためここでは詳述しないが、例えば、目頭に対する虹彩の位置に基づいて視線を検出すればよい。
【００５９】
また、聴講者端末３の操作情報通知部３３は、さらに、発表データの表示位置を切り替える操作が行われた際や、所定の周期となった際に、視線検出部３６で検出した視線情報も、端末ＩＤと共にサーバ装置４に通知する。
【００６０】
また、サーバ装置４が操作情報受信部４１は、さらに、聴講者端末３の操作情報通知部３３から、端末ＩＤ、表示位置、視線情報とを受信する。
【００６１】
図９は、第２の実施形態における操作情報管理部４４が管理する、操作情報管理テーブルの一例を示す図である。操作情報管理テーブルには、端末ＩＤに対応付けて、視線情報も管理する。操作情報管理部４４は、さらに、操作情報受信部４１にて端末ＩＤと視線情報とを受信すると、当該端末ＩＤに対応付けて、視線情報を記録する。
【００６２】
理解度判断部４２は、さらに、図９の操作情報管理テーブルに格納されている情報を基に、発表者と同じ表示位置を表示している各聴講者の端末ＩＤと視線情報とを抽出し、理解度データに含める。ここで、発表者と同じ表示位置を表示している各聴講者は、図９の操作情報管理テーブル中で、表示位置が、ユーザ種別が「発表者」の表示位置と一致する聴講者と、同期モードが「同期」と設定されている聴講者である。
【００６３】
図１０は、第２の実施形態における操作履歴管理部４６が管理する、操作履歴管理テーブルの一例を示す図である。操作履歴管理テーブルには、端末ＩＤに対応付けて、視線情報も管理する。
【００６４】
操作履歴管理部４６は、操作情報受信部４１にて受信した端末ＩＤ、表示位置、視線情報を受信すると、当該端末ＩＤに対応付けて、表示位置、視線情報、及び操作情報受信部４１にて受信した日時である受信日時とを記録する。
【００６５】
図１１は、第２の実施形態における、発表者端末２での発表データと理解度データとを表示する画面の例（その１）である。第１の実施形態と同様に、発表者端末２の表示部２１には、発表データが所定の領域６０１に表示される。また、発表データの全表示位置の数に対する、各聴講者端末３の表示位置が、聴講者端末３毎のインジケータ６０２で表示される。また、発表データの全表示位置の数に対する、発表者端末２の表示位置が、所定のインジケータ６０３で表示される。
【００６６】
さらに、第２の実施形態では、発表者と同じ表示位置を表示している各聴講者の視線情報を、発表データに重ねて表示している。
【００６７】
図１１は、発表データを表示している領域を、縦方向に８、横方向に１１のエリアに分け、一番左下のエリアの中心位置を原点（０，０）とした場合に、聴講者Ａの視線情報が（６，３）、聴講者Ｂの視線情報が（７，３）、聴講者Ｃの視線情報が（３，２）の座標を中心位置とするエリアを注視している場合の例である。それにより、発表者は、発表中に、各聴講者がどのような箇所を見ているのか、確認することができる。
【００６８】
図１２は、第２の実施形態における、発表者端末２での発表データと理解度データとを表示する画面の例（その２）である。図１２では、発表データを表示している領域における視線情報に対応するエリアに、視線情報の数に応じた大きさのマークを表示している。
【００６９】
例えば、発表者と同じ表示位置を表示している聴講者の数が多い場合は、図１２のように、エリア毎に、当該エリアを注視している聴講者の数が多い箇所に大きなマークを重ねて表示してもよい。
【００７０】
また、サーバ装置４が、発表者端末２で表示する表示位置を切り替える操作をした際に、図１０の操作履歴管理テーブルに記憶されている履歴に基づいて、切り替えられた表示位置に対応する、視線情報に対応するエリア毎に、全聴講者端末３または指定した聴講者端末３の視線情報の履歴の数に応じた大きさのマークを表示してもよい。それにより、例えば図１２のように、注視されていた累計時間または累積回数が長い箇所に大きなマークを重ねて表示できる。
【００７１】
また、理解度判断部４２は、第１の実施例と同様に、図４の聴講者データ管理テーブルの聴講者毎の重みに基づいて、視線情報を含む理解度データを算出してもよい。例えば、第１の実施例と同様に、成績が上位の聴講者に対する重みを０として理解度データを算出することにより、当該聴講者の視線情報の表示を行わないようにすることができる。
【００７２】
また、発表者端末２において、発表者の操作等により選択された、表示装置５に出力している発表データの表示位置とは異なる表示位置を、子画面等の別の表示領域に表示し、当該表示領域に、当該表示位置に対応する視線情報を重ねて表示するようにしてもよい。それにより、発表中のページ等と異なるページ等を見ている聴講者の視線情報も表示できる。
【００７３】
＜変形例＞
なお、サーバ装置４が、操作履歴管理テーブルの情報に基づいて理解度データを再生できるようにしてもよい。それにより、発表者が、後日、発表内容の改善や発表練習に活用することができる。
【００７４】
また、サーバ装置４側で発表データに基づく画像に、理解度データに基づく画像を合成し、発表データ配信部４５からストリーミングにより発表者端末２に配信するようにしてもよい。それにより、聴講者端末３の操作や視線の情報を、リアルタイムで発表者に表示することができる。
【００７５】
また、発表データとして複数のファイルを使用する場合は、表示位置として、ファイルを識別するファイルＩＤ及びページ番号を用いて、理解度データを算出するようにしてもよい。
【００７６】
また、発表データがＷｅｂページである場合は、表示位置として、ＵＲＬの情報を用いてもよい。
【００７７】
また、発表データのページが１画面にて表示できないほど大きいため、スクロールして表示する場合は、表示位置としてスクロールの位置を用いて、理解度データを算出するようにしてもよい。
【００７８】
また、サーバ装置４は複数台のサーバで構成されても良く、どのサーバにどの機能を備えさせても良い。また、サーバ装置４の機能を発表者端末２に設け、親端末である発表者端末２と、子端末である複数の聴講者端末３を接続するようにしてもよい。
【００７９】
なお、上述した実施形態における、発表者端末２、聴講者端末３、サーバ装置４とが接続されたシステム構成は一例であり、用途や目的に応じて様々なシステム構成例があることは言うまでもない。
【００８０】
＜ハードウェア構成＞
発表者端末２、聴講者端末３は、例えば図１３に示すハードウェア構成により実現される。図１３は本実施形態に係る発表者端末２、聴講者端末３（以下で「端末」とも言う）の一例のハードウェア構成図である。図１３の端末は、ＣＰＵ２０１、ＲＯＭ２０２、ＲＡＭ２０３、ＥＥＰＲＯＭ２０４、ＣＭＯＳセンサ２０５、メディアドライブ２０８を備えている。
【００８１】
ＣＰＵ２０１は、端末全体の動作を制御する。ＲＯＭ２０２は、基本入出力プログラムを記憶している。ＲＡＭ２０３はＣＰＵ２０１のワークエリアとして使用される。ＥＥＰＲＯＭ２０４は、ＣＰＵ２０１の制御にしたがってデータの読み出し又は書き込みを行う。ＣＭＯＳセンサ２０５は、ＣＰＵ２０１の制御に従って被写体を撮像し画像データを得る。
【００８２】
メディアドライブ２０８は、フラッシュメモリ等の記録メディア２０７に対するデータの読み出し又は書き込み（記憶）を制御する。メディアドライブ２０８は、既に記録されていたデータが読み出され又は新たにデータが書き込まれて記憶する記録メディア２０７を着脱自在な構成となっている。
【００８３】
なお、ＥＥＰＲＯＭ２０４には、ＣＰＵ２０１が実行するＯＳ、ネットワーク設定に必要なアソシエーション情報等が記憶されている。本発明の実施形態における各種処理を実行するためのアプリケーションは、ＥＥＰＲＯＭ２０４又は記録メディア２０７などに記憶されている。
【００８４】
また、ＣＭＯＳセンサ２０５は光を電荷に変換して被写体の画像を電子化する電荷結合素子である。ＣＭＯＳセンサ２０５は被写体を撮像することができるのであれば、例えばＣＣＤ（Charge  Coupled  Device）センサであってもよい。
【００８５】
さらに、端末はアンテナ２１１、通信部２１２、無線ＬＡＮ通信部２１３、近距離無線通信用アンテナ２１４、近距離無線通信部２１５、ディスプレイ２１６、タッチパネル２１７及びバスライン２１９を備えている。
【００８６】
通信部２１２はアンテナ２１１を利用して無線通信信号により最寄りの基地局装置と通信を行う。無線ＬＡＮ通信部２１３はアクセスポイントとＩＥＥＥ８０４１１規格に準拠する無線ＬＡＮ通信を行う。近距離無線通信部２１５は近距離無線通信用アンテナ２１４を利用した近距離無線通信を行う。
【００８７】
ディスプレイ２１６は、被写体の画像や各種アイコン等を表示する液晶や有機ＥＬ等である。タッチパネル２１７は、ディスプレイ２１６上に載せられ、感圧式又は静電式のパネルによって構成され、指やタッチペン等によるタッチによってディスプレイ２１６上におけるタッチ位置を検出する。バスライン２１９は上記各部を電気的に接続するためのアドレスバスやデータバス等である。
【００８８】
また、端末は、専用の電池２１８を備えている。端末は電池２１８によって駆動される。
【００８９】
このように、本実施形態に係る発表者端末２、聴講者端末３は上記ハードウェア構成により上述したような各種処理を実現できる。
【００９０】
サーバ装置４は例えば図１４に示すハードウェア構成のコンピュータシステムにより実現される。図１４は本実施形態に係るコンピュータシステムの一例のハードウェア構成図である。
【００９１】
図１４のコンピュータシステム４００は、入力装置４０１、外部Ｉ／Ｆ４０３、ＲＡＭ４０４、ＲＯＭ４０４、ＣＰＵ４０６、通信Ｉ／Ｆ４０７及びＨＤＤ４０８などを備え、それぞれがバスＢで相互に接続されている。入力装置４０１はキーボードやマウスなどを含み、コンピュータシステム４００に各操作信号を入力するために用いられる。
【００９２】
ＨＤＤ４０８は、プログラムやデータを格納している不揮発性の記憶装置である。格納されるプログラムやデータには、コンピュータシステム４００全体を制御する基本ソフトウェアであるＯＳ（Operating System）、及び、ＯＳ上において各種機能を提供するアプリケーションプログラムなどがある。ＨＤＤ４０８は、格納しているプログラムやデータを所定のファイルシステム及び／又はＤＢ（Data Base）により管理している。
【００９３】
外部Ｉ／Ｆ４０３は、外部装置とのインターフェースである。外部装置には、記録媒体４０３ａなどがある。これにより、コンピュータシステム４００は外部Ｉ／Ｆ４０３を介して、記録媒体４０３ａの読み取り及び／又は書き込みを行うことができる。なお、記録媒体４０３ａにはフレキシブルディスク、ＣＤ、ＤＶＤ（Digital Versatile Disk）、ＳＤメモリカード、ＵＳＢ（Universal Serial Bus）メモリ等がある。
【００９４】
ＲＯＭ４０５は、電源を切ってもプログラムやデータを保持することができる不揮発性の半導体メモリ（記憶装置）である。ＲＯＭ４０５には、コンピュータシステム４００の起動時に実行されるＢＩＯＳ（Basic Input/Output System）、ＯＳ設定、及びネットワーク設定などのプログラムやデータが格納されている。ＲＡＭ４０４は、プログラムやデータを一時保持する揮発性の半導体メモリ（記憶装置）である。
【００９５】
ＣＰＵ４０６は、ＲＯＭ４０５やＨＤＤ４０８などの記憶装置からプログラムやデータをＲＡＭ４０４上に読み出し、処理を実行することで、コンピュータシステム４００全体の制御や機能を実現する演算装置である。
【００９６】
本実施形態に係るコンピュータシステム４００は、上記ハードウェア資源、プログラム及びデータの組み合わせにより、ハードウェア資源とプログラムとが協働して、上述したような各種処理を実現できる。
【符号の説明】
【００９７】
１  会議システム
２  発表者端末（「第２情報端末」、「情報処理装置」の一例）
２１  表示部（「表示手段」の一例）
２２  操作部
２３  操作情報通知部
２４  理解度受信部
２５  発表データ格納部
２６  端末情報記憶部
２７  表示画像出力部
３  聴講者端末（「第１情報端末」の一例）
３１  表示部
３２  操作部
３３  操作情報通知部
３４  発表データ格納部
３５  端末情報記憶部
３６  視線検出部（「検出手段」の一例）
４  サーバ装置（「情報処理装置」の一例）
４１  操作情報受信部
４２  理解度判断部（「判断手段」の一例）
４３  理解度通知部
４４  操作情報管理部
４５  発表データ配信部（「配信手段」の一例）
４６  操作履歴管理部
４７  聴講者データ管理部
５  表示装置
【先行技術文献】
【特許文献】
【００９８】
【特許文献１】特開２０１０−０３３２２９号公報
【図１】
2016177614.tif 000003
【図２】
2016177614.tif 000004
【図３】
2016177614.tif 000005
【図４】
2016177614.tif 000006
【図５】
2016177614.tif 000007
【図６】
2016177614.tif 000008
【図７】
2016177614.tif 000009
【図８】
2016177614.tif 000010
【図９】
2016177614.tif 000011
【図１０】
2016177614.tif 000012
【図１３】
2016177614.tif 000013
【図１４】
2016177614.tif 000014
【図１１】
2016177614.tif 000015
【図１２】
2016177614.tif 000016